(57)【要約】      （修正有）【課題】構造物の出入口からの水の流入を防ぐ防水装置において、防水扉の置き場や運搬が不要となり、作業者の負担が軽減される技術を提供する。【解決手段】トーションバー６１は、防水扉５０が出入口の下部を閉塞する位置にあるときに基部６１ｃが捻られながら、防水扉５０およびベース部１０に取り付けられている。具体的には、トーションバー６１の端部６１ａが扉側ブラケット６２の貫通孔にこの順で内挿されることで扉側ブラケット６２に取り付けられ、このことによってトーションバー６１が防水扉５０に取り付けられている。一方、トーションバー６１の端部６１ｂがベース側ブラケット６３の貫通孔６３ａに挿入されることでベース側ブラケット６３に取り付けられ、このことによってトーションバー６１がベース部１０に取り付けられている。【選択図】図２
0003167721.tif 000002
【実用新案登録請求の範囲】
【請求項１】
構造物の出入口からの水の流入を防ぐ防水装置であって、
前記出入口の下部を回動によって開閉可能な防水扉と、
前記防水扉を閉方向へ付勢する付勢手段と、を備え、
前記付勢手段として、棒状であり、基部の一方の端部が前記防水扉に係合されるとともに前記基部の他方の端部が前記構造物に係合され、前記基部の捻りを解消しようとする力を前記防水扉を閉方向へ付勢する付勢力として発揮するトーションバーを備えること
を特徴とする防水装置。
【請求項２】
請求項１に記載の防水装置において、
前記トーションバーは、前記防水扉が前記出入口の下部を閉塞する位置にあるときに前記基部が捻られながら、前記基部の一方の端部が前記防水扉に係合されるとともに前記基部の他方の端部が前記構造物に係合されるよう設置され、前記基部の捻りを解消しようとする力を前記防水扉を閉方向へ付勢する付勢力として発揮すること
を特徴とする防水装置。
【考案の詳細な説明】
【技術分野】
【０００１】
本考案は、構造物の出入口からの水の流入を防ぐ防水装置に関する。
【背景技術】
【０００２】
従来より、構造物の出入口からの水の流入を防ぐために、出入口の両側に対向配置された一対の断面溝状のレールの間に板状の防水扉を挿入することで出入口を閉じるよう構成された防水装置が知られている（例えば、特許文献１参照）。
【先行技術文献】
【特許文献】
【０００３】
【特許文献１】特開２００８−１６９５６１号公報（第５頁、図１）
【考案の概要】
【考案が解決しようとする課題】
【０００４】
しかし、このような防水装置においては、防水扉の置き場が必要となるとともに、防水扉の運搬に手間が掛かる。また、緊急の場合に、防水扉の設置が間に合わないおそれがある。
【０００５】
本考案は、このような課題に鑑みなされたものであり、その目的とするところは、構造物の出入口からの水の流入を防ぐ防水装置において、防水扉の置き場や運搬が不要となり、作業者の負担が軽減される技術を提供することにある。
【課題を解決するための手段】
【０００６】
上記課題を解決するためになされた請求項１に係る防水装置は、構造物の出入口からの水の流入を防ぐ防水装置であって、前記出入口の下部を回動によって開閉可能な防水扉と、前記防水扉を閉方向へ付勢する付勢手段と、を備え、前記付勢手段として、棒状であり、基部の一方の端部が前記防水扉に係合されるとともに前記基部の他方の端部が前記構造物に係合され、前記基部の捻りを解消しようとする力を前記防水扉を閉方向へ付勢する付勢力として発揮するトーションバーを備えることを特徴とする。
【０００７】
このように構成された本考案の防水装置によれば、防水扉の回動によって出入口の下部を開閉可能となっているので、従来構成では必要であった防水扉の置き場や運搬が不要となる。
【０００８】
また、付勢手段のトーションバーが防水扉を閉方向へ付勢するので、作業者の力だけで防水扉を回動させる場合に比べて、作業者の負担を軽減することができる。
請求項２に係る防水装置は、請求項１に記載の防水装置において、前記トーションバーは、前記防水扉が前記出入口の下部を閉塞する位置にあるときに前記基部が捻られながら、前記基部の一方の端部が前記防水扉に係合されるとともに前記基部の他方の端部が前記構造物に係合されるよう設置され、前記基部の捻りを解消しようとする力を前記防水扉を閉方向へ付勢する付勢力として発揮することを特徴とする。
【０００９】
このように構成された本考案の防水装置によれば、付勢手段のトーションバーによる付勢力を更に大きくすることができる。
【図面の簡単な説明】
【００１０】
【図１】本考案が適用された防水装置の概略構成を示す側断面図（閉鎖時）
【図２】本考案が適用された防水装置の概略構成を示す正面図（閉鎖時）
【図３】本考案が適用された防水装置の概略構成を示す背面図（閉鎖時）
【図４】本考案が適用された防水装置の概略構成を示す平面図（閉鎖時）
【図５】本考案が適用された防水装置の概略構成を示す側断面図（収納時）
【図６】本考案が適用された防水装置の概略構成を示す平面図（収納時）
【考案を実施するための形態】
【００１１】
以下に本考案の実施形態を図面とともに説明する。なお、本考案は下記実施形態に限定されるものではなく、様々な態様にて実施することが可能である。
［１．防水装置１の構成の説明］
本実施形態の防水装置１は、構造物の出入口からの水の流入を防ぐ装置であり、図１に示すように、ベース部１０と、扉収納部２０と、左右一対の柱部材３０，４０と、防水扉５０と、トーションバーユニット６０と、閉鎖時ロック機構７０と、収納時ロック機構８０と、を備える。なお、柱部材３０および収納時ロック機構８０については図１での図示は省略し、図２で図示している。
【００１２】
防水装置１は、例えば左右一対の柱部材３０，４０が構造物の出入口の内部に位置する状態で床の室内側に埋設される。なお、防水装置１は、左右一対の柱部材３０，４０が構造物の出入口の後方に位置する状態で床の室内側に埋設されるようにしてもよいし、左右一対の柱部材３０，４０が構造物の出入口の前方に位置する状態で床の室外側に埋設されるようにしてもよい。
【００１３】
なお、以降、この防水装置１において、ベース部１０に対して柱部材３０，４０が配されている側を「上側」とし、その反対側を「下側」とし、防水扉５０に対して閉鎖時ロック機構７０が取り付けられている側を「後側」とし、その反対側を「前側」とし、後側から前側を見た際の左側を「左側」とし、右側を「右側」とする（図１参照）。
【００１４】
以下に、防水装置１の各構成について順に説明する。
［１．１．ベース部１０の構成の説明］
ベース部１０は、断面が方形の長尺材である前枠部材１１、後枠部材１２、左枠部材１３および右枠部材１４を四辺枠に連結した構成を有する。このベース部１０は、前枠部材１１を出入口の真下に配置した状態で、当該防水装置１が設置される床の室内側に埋設されている。なお、左枠部材１３については図１での図示は省略し、図２で図示している。
【００１５】
なお、ベース部１０の詳細構成については、設置される構造物の構造（出入口の構造や床の構造など）に応じて設定される。
［１．２．扉収納部２０の構成の説明］
扉収納部２０は、断面がＬ字形状の長尺材である前枠部材２１、後枠部材２２、左枠部材２３および右枠部材２４を四辺枠に連結した構成を有し、ベース部１０に載置された状態で床に埋設されている。なお、左枠部材２３については図１での図示は省略し、図２で図示している。
【００１６】
なお、扉収納部２０の詳細構成については、設置される構造物の構造（（出入口の構造や床の構造など）に応じて設定される。
また、扉収納部２０の高さ寸法は、防水扉５０の厚み寸法よりも大きく設定されており、扉収納部２０の内部に防水扉５０を収納可能となっている（図５および図６参照）。
【００１７】
［１．３．柱部材３０，４０の構成の説明］
柱部材３０は、断面が方形である柱状の柱部材本体３０ａと、柱部材本体３０ａの前端部から右方向に延出する板状の板状部３０ｂと、から構成され、ベース部１０の前枠部材１１の左端に立設されている。
【００１８】
また、柱部材４０は、断面が方形である柱状の柱部材本体４０ａと、柱部材本体４０ａの前端部から左方向に延出する板状の板状部４０ｂと、から構成され、ベース部１０の前枠部材１１の右端に立設されている。
【００１９】
［１．４．防水扉５０の構成の説明］
防水扉５０は、断面が方形の長尺材である上枠部材５１、下枠部材５２、左枠部材５３および右枠部材５４を四辺枠に連結した内部に板部材５５を内包する構成を有している。なお、左枠部材５３については図１での図示は省略し、図２で図示している。
【００２０】
また、防水扉５０の下枠部材５２の下部後端には、円柱状の回動軸５６が下枠部材５２の長手方向に沿って取り付けられている。この回動軸５６は、両端部それぞれがベース部１０の前枠部材１１の近傍でベース部１０の左枠部材５３と右枠部材５４との間に回転可能に取り付けられている。
【００２１】
また、防水扉５０の幅寸法は、左側の柱部材３０の柱部材本体３０ａと右側の柱部材４０の柱部材本体４０ａとの間の幅寸法よりも若干小さく設定されている。また、防水扉５０の高さ寸法は、扉収納部２０の内部空間の前後方向の長さ寸法よりも若干小さく設定されている。
【００２２】
このように構成された防水扉５０は、防水扉５０の左右端が左右一対の柱部材３０，４０の板状部材３０ｂ，４０ｂそれぞれに当接して構造物の出入口を閉鎖する閉鎖位置と当該防水扉５０が略水平となって扉収納部２０内に収納される収納位置との間で回動軸５６を中心として回動可能となっている。
【００２３】
［１．５．トーションバーユニット６０の構成の説明］
トーションバーユニット６０は、トーションバー６１と、扉側ブラケット６２と、ベース側ブラケット６３と、を備える。
【００２４】
トーションバー６１は、ばね鋼の棒状部材であり、両端部６１ａ，６１ｂが棒状の基部６１ｃから略直角に反対方向に折り曲げられた形状を有している。なお、一方の端部６１ａはＵ字形状に折り曲げられており、他方の端部６１ｂは、Ｌ字形状に折り曲げられている。
【００２５】
扉側ブラケット６２は、断面が略Ｌ字形状になっており、長手方向が上下方向に沿うとともに一方の平面部６２ａが防水扉５０の背面側に沿う状態で、防水扉５０の左部下端に取り付けられている。このとき、扉側ブラケット６２の他方の平面部６２ｂは、平面部６２ａの右端から後方向に延出する状態となっている。
【００２６】
また、扉側ブラケット６２の平面部６２ｂには、トーションバー６１の端部６１ａを取り付けるための貫通孔６２ｃ，６２ｄが形成されている。このうちの貫通孔６２ｃは、扉側ブラケット６２の平面部６２ｂの上部に形成されている。なお、貫通孔６２ｃの径寸法は、トーションバー６１の端部６１ａを内挿可能な大きさに設定されている。また、貫通孔６２ｄは、扉側ブラケット６２の平面部６２ｂの下部に形成されている。なお、貫通孔６２ｄについては、トーションバー６１の端部６１ａが防水扉５０の回動に伴って弧を描くように移動するため、その妨げにならない位置および径寸法に設定されている。
【００２７】
ベース側ブラケット６３は、筒状に形成されており、長手方向が上下方向に沿うとともにベース部１０の前側の内壁面に沿う状態で、ベース部１０の前側の内壁面の右側部分に取り付けられている。
【００２８】
なお、ベース側ブラケット６３の貫通孔６３ａの径寸法は、トーションバー６１の端部６１ｂを内挿可能な大きさに設定されている。
そして、トーションバー６１は、防水扉５０が出入口の下部を閉塞する位置にあるときに基部６１ｃが捻られながら、防水扉５０およびベース部１０に取り付けられている。具体的には、トーションバー６１の端部６１ａが扉側ブラケット６２の貫通孔６２ｄおよび貫通孔６２ｃにこの順で内挿されることで扉側ブラケット６２に取り付けられ、このことによってトーションバー６１が防水扉５０に取り付けられている。一方、トーションバー６１の端部６１ｂがベース側ブラケット６３の貫通孔６３ａに挿入されることでベース側ブラケット６３に取り付けられ、このことによってトーションバー６１がベース部１０に取り付けられている。
【００２９】
このとき、トーションバー６１は、基部６１ｃが防水扉５０の回動軸５６に略平行な姿勢で、回転軸５６近傍に配置される。
このように構成されたトーションバーユニット６０は、防水扉５０が閉鎖位置にあるときには、トーションバー６１の基部６１ｃの捻れを解消しようとする力が防水扉５０を柱部材３０，４０板状部材３０ｂ，４０ｂへ押し付ける力として発揮されている。
【００３０】
また、防水扉５０を閉鎖位置から収納位置ヘ向けて回動させると、トーションバー６１の基部６１ｃの捻れが増加し、このトーションバー６１の基部６１ｃの捻れを解消しようとする力が防水扉５０を閉鎖位置へ向けて付勢する付勢力として発揮される。
【００３１】
［１．６．閉鎖時ロック機構７０の構成の説明］
閉鎖時ロック機構７０は、板状のロック部材７１と、上下各２個の滑車７２ａを用いてロック部材７１を左右方向に移動可能に支持する支持部材７２と、から構成され、防水扉５０の背面側の左端上部および右端上部にそれぞれ取り付けられている。なお、滑車７２ａについては図１での図示は省略し、図２で図示している。
【００３２】
一方、柱部材３０の柱部材本体３０ａには、ロック部材７１を内挿可能な貫通孔３０ｃが、防水扉５０が閉鎖位置にある際に左側の閉鎖時ロック機構７０のロック部材７１と対向する位置に形成されている。なお、貫通孔３０ｃについては図１での図示は省略し、図２で図示している。
【００３３】
また、柱部材４０の柱部材本体４０ａにも同様に、ロック部材７１を内挿可能な貫通孔４０ｃが、防水扉５０が閉鎖位置にある際に右側の閉鎖時ロック機構７０のロック部材７１と対向する位置に形成されている。なお、貫通孔４０ｃについては図１での図示は省略し、図２で図示している。
【００３４】
したがって、閉鎖時ロック機構７０は、防水扉５０が閉鎖位置にある際に、ロック部材７１を左右方向に移動させて柱部材３０，４０の貫通孔３０ｃ，４０ｃそれぞれに内挿させることで、防水扉５０を左右一対の柱部材３０，４０の板状部材３０ｂ、４０ｂそれぞれに当接する状態に保持することができる。
【００３５】
［１．７．収納時ロック機構の構成の説明］
収納時ロック機構８０は、板状のロック部材８１と、ロック部材８１を前後方向に移動可能に支持する支持部材８２と、ロック部材８１を前方に付勢するコイルばね８１ａと、から構成され、扉収納部２０の後側の内壁面に取り付けられている。また、ロック部材８１は、上面側が傾斜しており、上下方向の高さ寸法が先端に行くに従って細くなるよう形成されている。
【００３６】
一方、防水扉５０には、ロック部材８１を内挿可能な取付孔５１ａが、防水扉５０が収納位置にある際に収納時ロック機構８０のロック部材８１と対向する位置に形成されている。
【００３７】
また、柱部材３０の前面側には、操作部８３が取り付けられており、操作部８３と収納時ロック機構８０のロック部材８１とが遠隔操作用のプッシュプルケーブル８４で接続されている。
【００３８】
このように構成された収納時ロック機構８０によれば、防水扉５０を回動させて収納位置に移動させると、ロック部材８１が取付孔５１ａの縁に当接して一旦後方に移動してからコイルばね８１ａの付勢力によって前方に移動して取付孔５１ａに挿入され、防水扉５０を収納位置に保持することができる。
【００３９】
また、防水扉５０が収納位置にある際に、操作部８３の回動部材８３ａを手前に操作することで、回動部材８３ａとロック部材８１とを連結するプッシュプルケーブル８４のワイヤー８４ａを介してロック部材８１を後方向に移動させて防水扉５０の取付孔５１ａから引き抜き、防水扉５０を閉鎖位置へ向けて回動可能な状態にすることができる。
【００４０】
なお、収納時ロック機構８０の操作部８３の設置場所については、柱部材３０の前面側に限らず、プッシュプルケーブル８４が届く範囲内であれば、他の場所であってもよい。
［２．防水装置１の動作の説明］
次に、防水装置１の動作を図面を参照して説明する。
【００４１】
まず、初期状態では、防水扉５０が扉収納部２０に収納されている（図５および図６参照）。このとき、収納時ロック機構８０のロック部材８１が前方向に移動して防水扉５０の取付孔５１ａに内挿されており、防水扉５０が収納位置に保持されている（図５参照）。
【００４２】
防水扉５０を回動させて出入口を閉じるには、収納時ロック機構８０の操作部８３の回動部材８３ａを手前に操作することで回動部材８３ａとロック部材８１とを連結するプッシュプルケーブル８４のワイヤー８４ａを介してロック部材８１を後方向に移動させて防水扉５０の取付孔５１ａから引き抜く。すると、防水扉５０が閉鎖位置へ向けて回動可能な状態となり、防水扉５０を起き上がらせることができる。このとき、トーションバーユニット６０のトーションバー６１の捻れを解消しようとする力が防水扉５０を閉鎖位置へ向けて付勢する付勢力として発揮される。
【００４３】
そして、起き上がらせた防水扉５０の左右端が左右一対の柱部材３０，４０の板状部材３０ｂ，４０ｂそれぞれに当接すると、当該防水装置１が設置される構造物の出入口が閉鎖される（閉鎖位置、図１〜４参照）。
【００４４】
なお、このように防水扉５０が閉鎖位置にあるときには、トーションバーユニット６０のトーションバー６１の捻れを解消しようとする力が防水扉５０を柱部材３０，４０の板状部材３０ｂ，４０ｂへ押し付ける力として発揮される。
【００４５】
そして、閉鎖時ロック機構７０のロック部材７１を移動させて柱部材３０，４０の貫通孔３０ｃ，４０ｃそれぞれに内挿させることで、防水扉５０を左右一対の柱部材３０，４０の板状部材３０ｂ、４０ｂそれぞれに当接する状態に保持する（図２参照）。
【００４６】
また、防水扉５０を回動させて扉収納部２０に収納するには、閉鎖時ロック機構７０のロック部材７１を移動させて柱部材３０，４０の貫通孔３０ｃ，４０ｃそれぞれから引き抜く。すると、防水扉５０が収納位置へ向けて回動可能な状態となる。
【００４７】
そして、防水扉５０を回動させて扉収納部２０に収納する（収納位置、図５および図６参照）。具体的には、防水扉５０を回動させて収納位置に移動させると、ロック部材８１が取付孔５１ａの縁に当接して一旦後方に移動してからコイルばね８１ａの付勢力によって前方に移動して取付孔５１ａに挿入される。すると、防水扉５０を収納位置に保持することができる（図５参照）。このとき、防水扉５０の回動に伴ってトーションバー６１の基部６１ｃの捻れが増加し、このトーションバー６１の基部６１ｃの捻れを解消しようとする力が防水扉５０を閉鎖位置へ向けて付勢する付勢力として蓄積される。
【００４８】
［３．実施形態の効果］
（１）このように本実施形態の防水装置１によれば、防水扉５０の回動によって当該防水装置１が設置される構造物の出入口の下部を開閉可能となっているので、従来構成では必要であった防水扉の置き場や運搬が不要となる。
【００４９】
（２）また、本実施形態の防水装置１によれば、トーションバーユニット６０が防水扉５０を閉方向へ付勢するので、作業者の力だけで防水扉５０を回動させる場合に比べて、作業者の負担を軽減することができる。
【００５０】
（３）また、本実施形態の防水装置１によれば、トーションバーユニット６０のトーションバー６１が、防水扉５０が出入口の下部を閉塞する位置にあるときに基部６１ｃが捻られながら、防水扉５０およびベース部１０に取り付けられているので、トーションバーユニット６０による付勢力を更に大きくすることができる。
【符号の説明】
【００５１】
１…防水装置、１０…ベース部、１１…前枠部材、１２…後枠部材、１３…左枠部材、１４…右枠部材、２０…扉収納部、２１…前枠部材、２２…後枠部材、２３…左枠部材、２４…右枠部材、３０…柱部材、３０ａ，４０ａ…柱部材本体、３０ｂ，４０ｂ…板状部、３０ｃ，４０ｃ…貫通孔、４０…柱部材、５０…防水扉、５１…上枠部材、５１ａ…取付孔、５２…下枠部材、５３…左枠部材、５４…右枠部材、５５…板部材、５６…回動軸、６０…トーションバーユニット、６１…トーションバー、６１ａ，６１ｂ…端部、６１ｃ…基部、６２…扉側ブラケット、６２ａ，６２ｂ…平面部、６２ｃ，６２ｄ…貫通孔、６３…ベース側ブラケット、６３ａ…貫通孔、７０…閉鎖時ロック機構、７１…ロック部材、７２…支持部材、７２ａ…滑車、８０…収納時ロック機構、８１…ロック部材、８１ａ…コイルばね、８２…支持部材、８３…操作部、８３ａ…回動部材、８４…プッシュプルケーブル、８４ａ…ワイヤー
【図１】
0003167721.tif 000003
【図２】
0003167721.tif 000004
【図３】
0003167721.tif 000005
【図４】
0003167721.tif 000006
【図５】
0003167721.tif 000007
【図６】
0003167721.tif 000008